(57)【要約】【課題】この発明は、ウオーターサーバーにおける水容器の交換を容易にすることを課題とするものである。具体的には、交換作業において、作業者がかがみ込む姿勢を取らないで良いようにすることを課題とするものである。【解決手段】この発明は、筐体１の下部に水容器３の収納部４が設けられ、その上方に給水部２が設けられたウオーターサーバーにおいて、前記収納部４の前壁を、下部を軸として前方に所定角度回動し傾斜状態に保持される扉５とし、この扉５の内側左右に前記水容器の側壁を保持するガイドである壁６を設ける。そして、前記収納部４にはポンプに接続されたホース７を配設し、このホース７の長さは、傾斜状態に保持された扉に載せられた水容器３の開栓部に届く長さとし、前記ホースの先端には水容器の開栓部に接続される連結具を取り付けて構成する。【選択図】図３
2020158119.tif 000002
【特許請求の範囲】
【請求項１】
筐体の下部に水容器の収納部が設けられ、その上方に給水部が設けられたウオーターサーバーにおいて、
前記収納部の前壁は、下部が水平な軸により支持され、前方に所定角度回動し傾斜状態に保持される扉とし、
この扉の内側左右に前記水容器の側壁を保持するガイドが設けられ、
前記収納部にはポンプに接続されたホースが配設され、
このホースの長さは、傾斜状態に保持された扉に載せられた水容器の開栓部に届く長さとし、
前記ホースの先端には水容器の開栓部に接続される連結具が取り付けられた、
ウオーターサーバー。
【請求項２】
ガイドは立設された壁とした、請求項１に記載のウオーターサーバー。
【請求項３】
扉の下部に、水容器を支承する保持板が設けられた、請求項１又は２に記載のウオーターサーバー。
【請求項４】
請求項１又は請求項３の何れかに記載のウオーターサーバーに収納する水容器であって、可撓性のある水容器本体が扁平直方体のケースに収納され、前記ケースの厚さはウオーターサーバーの水容器の収納部の内寸奥行き寸法とほぼ同等とした、ウオーターサーバー用の水容器。
【発明の詳細な説明】
【技術分野】
【０００１】
この発明は、水容器に充填された飲料水をタンクに貯水し、これを所望により注出できるようにしたウオーターサーバーに関するものであり、具体的には前記水容器の収納部を改良したものである。
【背景技術】
【０００２】
筐体の下部に水容器の収納部を設けたウオーターサーバーは従来から存在する（例えば特開２００１−１５３５２３号）。この文献の発明では、水タンクを、筐体の底部に着脱可能に配置した台車上に載置するようにしてある。
また、水容器をポンプに接続されたホースに繋ぐものとしては特開２０１４−８９７９号の発明が存在する。この文献の発明は水容器を筐体の上部に収納するものである。
【特許文献１】特開２００１−１５３５２３号公報
【特許文献２】特開２０１４−８９７９号公報
【発明の開示】
【発明が解決しようとする課題】
【０００３】
この発明は、ウオーターサーバーにおける水容器の交換を容易にすることを課題とするものである。具体的には、交換作業において、作業者がかがみ込む姿勢を取らないで良いようにすることを課題とするものである。
【課題を解決するための手段】
【０００４】
この発明は、筐体の下部に水容器の収納部が設けられ、その上方に給水部が設けられたウオーターサーバーにおいて、前記収納部の前壁を、下部を軸として前方に所定角度回動し傾斜状態に保持される扉とし、この扉の内側左右に前記水容器の側壁を保持するガイドを設ける。そして、前記収納部にはポンプに接続されたホースを配設し、このホースの長さは、傾斜状態に保持された扉に載せられた水容器の開栓部に届く長さとし、前記ホースの先端には水容器の開栓部に接続される連結具を取り付けて構成する。
【０００５】
前記収納部の前壁である扉の大きさ及び傾斜角度は、扉の内面に水容器を載置でき、水容器を載置した状態で扉を閉じることで水容器が収納部に収納できるように設定する。
前記ガイドは、扉の内面に載置された水容器の位置を規制するものであり、立設された壁とすることがことが好ましいが（請求項２）、凸条としてもよい。
【０００６】
前記前壁を開いた状態において、水容器の下部を前壁の下端と水容器収納部の上面とで支持することができるが、前壁に水容器を支持する保持板を設けることもできる（請求項３）。
【０００７】
請求項４の発明は、請求項１ないし請求項３の何れかに記載のウオーターサーバーに収納する水容器であって、可撓性のある水容器本体が扁平直方体のケースに収納され、前記ケースの厚さはウオーターサーバーの水容器の収納部の内寸奥行き寸法とほぼ同等として構成してある。
【発明の効果】
【０００８】
この発明のウオーターサーバーによれば、水容器の収納部がウオーターサーバー筐体の下部にあり、収納部の前壁が下部を軸として前方に所定角度回動し傾斜状態に保持される構成としてあるので、傾斜状態に保持された扉の内面に水容器を載置することができる。そして載置された水容器はガイドによって、その位置が規制される。
また、収納部に配設されたポンプに接続されたホースの長さは、傾斜状態に保持された扉に載せられた水容器の開栓部に届く長さとしてあるので、水容器へのホースの接続作業を筐体の外でおこなうことができる。
そして、筐体の外の作業のみで容器とホースとの接続作業は完了し、扉を閉じると水容器は自然と収納部に収まる。
したがって、かがんで筐体の中を確認しつつ作業する必要はなく、作業者は立った状態で水容器の交換作業をおこなうことができる。
【０００９】
この発明の水容器によれば、可撓性のある水容器本体が扁平直方体のケースに収納されているので、運搬、保管等の取扱が容易であり、ケースの厚さはウオーターサーバーの水容器の収納部の奥行き寸法と同等としてあるので、ウオーターサーバーの扉を閉じると水容器は自動的に直立状態となる。また、筐体の奥行き寸法を可及的に薄くすることができる。
【図面の簡単な説明】
【００１０】
【図１】この発明の使い方を示す図。
【図２】この発明のウオーターサーバーの実施例の断面図。
【図３】同じく水容器収納部分の斜視図。
【図４】この発明の水容器の一部を透視した斜視図。
【実施例】
【００１１】
以下、この発明の実施例を説明する。
【００１２】
ウオーターサーバーＡの筐体１の上部に給水部２が設けてあり、下部に水容器３の収納部４が設けてあり、給水部２と収納部４との間には、水容器３の水を冷却又は加温するためのタンク８が配設してある。
【００１３】
前記水容器収納部４の前壁は扉５としてある。この扉５は筐体１の水平軸に取り付けられ、前記収納部４を閉塞する垂直位置から所定角度まで回動できるように、前記筐体１に取り付けてあり、扉５は左右に水容器の位置を保持するガイドである壁６を備えている。
なお、筐体１に、扉の回動角度を規制するパーツ（図示しない）が取り付けてある。そして、この回転角度は、対象となる水容器の大きさにより決定されるものである。例えば、水容器の大きさが奥行き１３０ミリであれば、回転角度は３５度程度となる。
【００１４】
前記扉５の左右両側には、水容器３を保持するための壁６が設けてある。そして、前記収納部４には、ポンプ（図示しない）に接続されたホース７が配設してあり、このホース７の先端に水容器３との連結部７ａが配設してある。そのホースの長さは、傾斜した状態の扉５に載置された水容器３の開栓部に達する長さとしてある。
【００１５】
図４は、この発明に好適な水容器の例である。
扁平直方体の段ボール製のケース１１に可撓性のある水容器本体１２が収納されている。、前記ケースの上面にはホースを繋ぐための穴１３が設けてある。また、厚さはウオーターサーバーの水容器の収納部の内寸奥行き寸法とほぼ同等である。
【００１６】
この発明のウオーターサーバーにおいては、水容器３をウオーターサーバーの近傍に置き、下部の扉５を開き、そこに水容器３を載せてホース７と繋ぐだけで、水容器の交換作業が完了する。
【００１７】
この発明によれば、水容器の交換において、かがみ込む必要はなく、立ったままで水容器をウオーターサーバーに接続することができる。
【産業上の利用可能性】
【００１８】
この発明は、ウオーターサーバーにおける水容器の交換作業の負担を軽減するものであり、産業上の利用可能性を有するものである。
【符号の説明】
【００１９】
Ａ    ウオーターサーバー
１    筐体
２    給水部
３    水容器
４    収納部
５    扉
６    壁
７    ホース
７ａ  連結部
８    タンク
１１  ケース
１２  水容器本体
１３  穴
【図１】
2020158119.tif 000003
【図２】
2020158119.tif 000004
【図３】
2020158119.tif 000005
【図４】
2020158119.tif 000006